(57)【要約】【課題】  コンパクトな形態において大量の廃材を効率良く処理可能なバケットクラッシャーを提供する。【解決手段】  外部より取り入れ開口部３を通して取り入れた被破砕物を破砕部５で破砕し、その破砕物を排出部６から外部に排出するバケットクラッシャーにおいて、取り入れ開口部３の巾寸法が外方にいくにしたがって大きくなるように拡開形成されてなり、取り入れ開口部３の相対する側壁面１２が、内側へ突出するように折れ曲がり形成されてなるもの。【選択図】図１
2014069179.tif 000002
【特許請求の範囲】
【請求項１】
外部より取り入れ開口部を通して取り入れた被破砕物を破砕部で破砕し、その破砕物を排出部から外部に排出するバケットクラッシャーにおいて、
前記取り入れ開口部の巾寸法が外方にいくにしたがって徐々に大きくなるように拡開形成されてなることを特徴とするバケットクラッシャー。
【請求項２】
前記取り入れ開口部の相対する側壁面が、内側へ突出するように折れ曲がり形成されてなることを特徴とする請求項１記載のバケットクラッシャー。
【請求項３】
前記取り入れ開口縁に沿って複数の破砕用爪片が設けられてなる請求項１または２記載のバケットクラッシャー。
【発明の詳細な説明】
【技術分野】
【０００１】  この発明はパワーショベル等に連結使用されて廃材処理等に用いられるバケットクラッシャーに関する。
【背景技術】
【０００２】  廃材処理現場等においては、バケットクラッシャーがパワーショベル等に吊り下げ連結されて使用される。大量の廃材を処理するには廃材を一度に多量に取り込み処理することが考えられが、その場合にはバケットクラッシャーを大形にする必要がある。しかしながら、大形になるとバケットクラッシャーの全体重量が大きくなり、パワーショベルに吊り下げて操作使用するのが難しくなる。
【発明の概要】
【発明が解決しようとする課題】
【０００３】  この発明は上記の事情に鑑みて行ったもので、コンパクトな形態において大量の廃材を効率良く処理可能なバケットクラッシャーを提供することを目的とする。
【課題を解決するための手段】
【０００４】  この発明では、外部より取り入れ開口部を通して取り入れた被破砕物を破砕部で破砕し、その破砕物を排出部から外部に排出するバケットクラッシャーにおいて、前記取り入れ開口部の巾寸法が外方にいくにしたがって大きくなるように拡開形成されてなることを特徴とするバケットクラッシャーを提供する。【０００５】  上記構成によれば、取り入れ開口部の巾寸法が外方にいくにしたがって徐々に大きくなるように拡開形成されていることで、破砕部を大きくすることなく被破砕物の取り入れ部分が大きく形成され、そこから一度に多量の被破砕物を取り入れて処理することで破砕作業が効率良くなされる。とくに、その巾寸法が外方にいくにしたがって徐々に大きくなるように拡開形成されていることでそこに引っかかり部がなく、被破砕物はその取り入れ開口部に沿ってスムーズに破砕部に導かれる。【０００６】  取り入れ開口部の相対する側壁面が、内側へ突出するように折れ曲がり形成された構成とされることでその強度が大きくなり、固く重量のある多量の被破砕物が衝突した場合にも側壁面は損傷することが回避される。【０００７】  また、取り入れ開口縁に沿って複数の破砕用爪片が設けられてなる構成とされることで、破砕用爪片により土塊等に割れ目を生じさせ、その割れ目に取り入れ開口部の前縁を入り込ませることで土塊等に埋設される被破砕物をバケットクラッシャー内に容易に取り込むことができ、これにより、さらに破砕作業性能が向上される。
【発明の効果】
【０００８】  この発明によれば、コンパクトな形態において大量の廃材を効率良く処理可能なバケットクラッシャーが提供される。
【図面の簡単な説明】
【０００９】
【図１】  この発明のバケットクラッシャーの外観斜視図
【図２】  この発明のバケットクラッシャーの内部構成略図
【図３】  この発明のバケットクラッシャーのパワーショベルへの連結構成略図
【図４】  この発明のバケットクラッシャーが使用される現場説明図
【発明を実施するための形態】
【００１０】  図１はバケットクラッシャーの全体斜視図、図２は内部構成図（取り入れ開口部を上側としている）である。バケットクラッシャー１は前面に被破砕物の取り入れ開口部３を備えるとともに内部に開口部３に連続する破砕部５を備え、後部に破砕部５に連続する破砕物の排出部６を備え、上部にはパワーショベルのアームへの吊り下げ部４が設けられている。
【００１１】  取り入れ開口部３は下面部７と両側面部８、８とからなり、下面部７の前縁１０には５個の破砕用爪９…が取り付けられている。下面部７はその前縁１０の巾Ａ（約１１０ｃｍ）が後縁１１の巾Ｂ（約７０ｃｍ）より大きく形成され、その形状に沿って両側面部８、８内面に被破砕物の取り入れ用のガイド板（側壁面）１２、１２が取り付けられている。このようにガイド板（側壁面）１２、１２が設けられることで、取り入れ開口部３はその巾寸法が外方にいくにしたがって徐々に大きくなるように拡開形成されている。ガイド板１２、１２は折り曲げ部１３、１３で内側に突出するように折り曲げられて形成されている。
【００１２】  破砕部５はモータ１５の駆動軸に連動して往復作動される可動ジョー刃１７と固定ジョー刃１８とが所定の間隔をおいて相対配置されて構成され、可動ジョー刃１７と固定ジョー刃１８とが大きく開く前側が取り入れ開口部３に連続し、狭く開く後側が破砕物の排出部６に連続している。
【００１３】  上記のように構成されたバケットクラッシャー１は、図３に示すように、パワーショベル３０のアーム３１にアタッチメントとして連結されて使用される。破砕用爪９…を下側とし取り入れ開口部３がパワーショベル３０に向く状態において、取り入れ開口部３を使用現場における被破砕物であるコンクリート片に向けて進めることでそれを取り入れ開口部３内にすくい込み、次に、図２に示すように、取り入れ開口部３を上側とした状態において破砕片の集積場に移動し、モータ１５を駆動させ破砕部５において可動ジョー刃１７を作動して固定ジョー刃１８との間でコンクリート片を粉砕し、細かく破砕された破砕片を排出部６から下方に排出する。
【００１４】  上記の被破砕物の取り入れ開口部３への取り入れに際し、仮に、図４に示すように、土塊２０内にコンクリート片２１が埋まっている場合には、破砕用爪９…を食い込ますことで土塊２０に割れ目を生じさせ、その割れ目に取り入れ開口部３の下面部７の前縁１０を入り込ませることで取り入れ開口部３内にコンクリート片２１を取り込む。
【００１５】  取り入れ開口部３へ取り込まれたコンクリート片は、取り入れ開口部３が上側とされることで両側のガイド板１２、１２に案内されて破砕部５側に至る。ガイド板１２、１２には取り込みの際、また、案内移動の際に固く重量があるコンクリート片が衝突するが、ガイド板１２、１２が折り曲げ部１３、１３で内側に突出するように折り曲げ形成されて強度が大きいので損傷することが回避され、また、折り曲げ部１３、１３にコンクリート片がひっかかることも防がれる。
【００１６】  また、取り入れ開口部３の下面部７の前縁１０の巾Ａが大きく形成されたことで多量のコンクリート片が一度に取り入れられ、その多量のコンクリート片がガイド板１２、１２に沿ってスムーズに破砕部５に導かれるので、これにより多量のコンクリート片が効率よく破砕処理される。
【符号の説明】
【００１７】  １  バケットクラッシャー
３  取り入れ開口部
５  破砕部
６  排出部
【図１】
2014069179.tif 000003
【図２】
2014069179.tif 000004
【図３】
2014069179.tif 000005
【図４】
2014069179.tif 000006